(57)【特許請求の範囲】
【請求項１】
−  ワイパーゴム部材（４）を有するワイパーブレード（２）であって、前記ワイパーゴム部材（４）の内部に、前記ワイパーゴム部材（４）の長手方向軸線（Ｌ）に沿って、洗浄流体（７）が流れる少なくとも１つの流路（６）が形成されており、前記ワイパーゴム部材（４）が、前記流路（６）から前記ワイパーゴム部材（４）の側方に洗浄流体（７）を散布するための少なくとも１つの散布オリフィス（８）を有している、前記ワイパーブレード（２）と、
−  前記ワイパーブレード（２）に連結されると共に、車両のワイパーアームに連結されるように構成されたコネクタ（３；３’）と、
を備えた、車両の窓ガラス用のワイピングシステム（１；１’）であって、
前記コネクタ（３；３’）は、前記ワイパーゴム部材（４）の前記少なくとも１つの散布オリフィス（８）に面して形成された、少なくとも１つの開口（１５；１６）を有し、前記開口（１５；１６）を通して前記洗浄流体（７）を散布することができるように構成されていることを特徴とするワイピングシステム。
【請求項２】
前記開口（１５；１６）は、前記コネクタ（３；３’）の側面における長手方向寸法の中央部に形成されている、請求項１に記載のワイピングシステム。
【請求項３】
前記ワイパーゴム部材（４）における短手方向の両側には、それぞれ、複数の散布オリフィス（８）が形成され、一方側の散布オリフィス（８）と、他方側の散布オリフィス（８）とが、長手方向軸線（Ｌ）に沿って互い違いに設けられており、前記コネクタ（３；３’）は、前記ワイパーゴム部材（４）の前記複数の散布オリフィス（８）のうちの１つに面している単一の開口（１５；１６）を有している、請求項１または請求項２に記載のワイピングシステム。
【請求項４】
前記コネクタ（３；３’）は、前記ワイパーゴム部材（４）のヒール（４２）を短手方向の両側から挟む一対の腕（１２、１２）を有し、前記開口（１５；１６）は、前記腕（１２）に形成されている、請求項１から請求項３のうちのいずれか一項に記載のワイピングシステム。
【請求項５】
前記ワイパーゴム部材（４）においてリップ（４１）とヒール（４２）とが並ぶ方向を垂直方向（Ｖ）とし、前記ワイパーゴム部材（４）の前記長手方向軸線（Ｌ）と前記垂直方向（Ｖ）とに直交する方向を横方向（Ｔ）とし、前記ヒール（４２）からみて前記リップ（４１）がある側を、前記垂直方向（Ｖ）における下側としたとき、
前記腕（１２）に前記開口（１５；１６）として穿たれた孔の内面のうち、下側の面は、前記横方向（Ｔ）に沿って前記ヒール（４２）から遠ざかるに従って下方に向かう傾斜面（１５１；１６１）として形成されている、請求項４に記載のワイピングシステム。
【請求項６】
前記傾斜面（１５１；１６１）は、前記横方向（Ｔ）に対して５０°から６０°の間の角度（α）を成している、請求項５に記載のワイピングシステム。
【請求項７】
前記少なくとも１つの散布オリフィス（８）の各々は、前記ワイパーゴム部材（４）に形成された穴からなり、前記穴の軸線（Ａ）は、当該散布オリフィス（８）から遠ざかるに従って下方に向かうように傾斜している、請求項５または請求項６に記載のワイピングシステム。
【請求項８】
前記散布オリフィス（８）の前記穴の軸線（Ａ）が、前記傾斜面（１５１；１６１）に対して略平行である、請求項７に記載のワイピングシステム。
【請求項９】
前記開口（１５；１６）は、略矩形、または略楕円形、または略円形の形状を有している、請求項１から請求項８のうちのいずれか一項に記載のワイピングシステム。
【請求項１０】
前記コネクタ（３；３’）が前記ワイパーゴム部材（４）上に取り付けられ、それから前記ワイパーゴム部材（４）に沿って各散布オリフィス（８）が穿孔される、請求項１から請求項９のうちのいずれか一項に記載のワイピングシステムを製造するための方法。
【発明の詳細な説明】
【技術分野】
【０００１】
本発明は、車両の窓ガラス用のワイピングシステムに関する。本発明はまた、そのようなワイピングシステムを製造するための方法にも関する。
【背景技術】
【０００２】
自動車両は、フロントガラスの払拭や洗浄を確保して、運転者の周囲の視認が妨げられるのを回避するために、フロントガラス用ワイパーシステムを装備しているのが一般的である。これらのフロントガラス用ワイパーは、アームによって駆動されるのが慣例となっているが、そのアームは、角運動的な往復移動を行うと共に、弾性材料で作られた掻取りブレード（ワイパーゴム部材）を自ら担持した細長いワイパーブレードを備えている。ワイパーゴム部材は、フロントガラスを擦って、運転者の視界の外へと水分を導くことによって拭い去る。ワイパーブレードは、従来型の、いくつかの分散した位置でワイパーゴム部材を保持する関節連結式のリフティング・ビーンか、フラットブレード（登録商標）と呼ばれるもっと新型の、ワイパーゴム部材をその全長に渡って保持する半剛性アッセンブリによるもののいずれかの形態で作られる。
【０００３】
この２番目の解決策においては、フロントガラス用ワイパーを回動させるアームに対してワイパーブレードが、機械式コネクタによって取り付けられる。
【０００４】
一部のワイパーゴム部材には、少なくとも１つの洗浄液散布ブームが設けられてもいる。その散布ブームは、ワイパーゴム部材の縦方向軸線に沿って引き続いて延びている場合もある。このため、ワイパーゴム部材の上部を覆う機械式コネクタが、散布ブームを遮ってしまう。このことは、機械式コネクタのレベルに位置したフロントガラスの細長い区域に洗浄液が振り掛けられないという理由で、大きな欠点となる。
【発明の概要】
【発明が解決しようとする課題】
【０００５】
本発明は、言及した欠点を少なくとも部分的に解決するワイピングシステムを提案することを目的とする。
【課題を解決するための手段】
【０００６】
この目的のために、本発明の主題は、
−  ワイパーゴム部材を有するワイパーブレードであって、ワイパーゴム部材の内部に、ワイパーゴム部材の長手方向軸線に沿って、洗浄流体が流れる少なくとも１つの流路が形成されており、ワイパーゴム部材が、流路からワイパーゴム部材の側方に洗浄流体を散布するための少なくとも１つの散布オリフィスを有している、ワイパーブレードと、
−  ワイパーブレードに連結されると共に、車両のワイパーアームに連結されるように構成されたコネクタと、
を備えた、車両の窓ガラス用のワイピングシステムにおいて、
コネクタは、ワイパーゴム部材の少なくとも１つの散布オリフィスに面して形成された、少なくとも１つの開口を有し、開口を通して洗浄流体を散布することができることを特徴とするワイピングシステムとなっている。
【０００７】
散布オリフィスに面して形成された開口のおかげで、コネクタは散布オリフィスのレベルではワイパーゴム部材を覆わない。かくして、ワイパーゴム部材に全ての散布オリフィスを、ワイパーゴム部材の一端から他端へと、同じ設定パラメータで、引き続き同じ動作によって穿孔することが可能となる。
【０００８】
単独で、或いは組み合わせて用いられる、当該ワイピングシステムの１つないし複数の特徴によれば、
−  開口は、コネクタの側面における縦方向寸法の中央部に形成されており、
−  ワイパーゴム部材における長手方向軸線の両側に互い違い式に形成された複数の散布オリフィスがワイパーゴム部材に設けられており、コネクタは、ワイパーゴム部材の複数の散布オリフィスのうちの１つに面している単一の開口を有しており、
−  開口は、ワイパーブレードを連結するコネクタの基部の腕に形成されており、
−  ワイパーゴム部材の長手方向軸線に直交するワイパーゴム部材の断面（図３参照）において、ワイパーゴム部材の対称面が延びる方向を垂直方向と呼び、垂直方向に直交する方向を横方向と呼び、垂直方向に関してワイパーゴム部材のリップに近づく方向を下方と呼ぶこととした場合に、開口を囲むコネクタの壁面は、ワイパーゴム部材のリップの側に位置する傾斜面を含み、この傾斜面は、ワイパーゴム部材から横方向に遠ざかるに従って下方に向かうように傾斜しており、
−  傾斜面は、横方向に対して５０°から６０°の間の角度を成しており、
−  少なくとも１つの散布オリフィスの各々は、ワイパーゴム部材に形成された穴からなり、穴の軸線は、当該散布オリフィスから遠ざかるに従って下方に向かうように傾斜しており、
−  散布オリフィスの穴の軸線が、傾斜面に対して略平行であり、
−  開口は、略矩形、または略楕円形、または略円形の形状を有している。
【０００９】
本発明の主題はまた、コネクタがワイパーゴム部材上に取り付けられ、それからワイパーゴム部材に沿って各散布オリフィスが穿孔されることを特徴とする、先に説明したようなワイピングシステムを製造するための方法でもある。
【００１０】
本発明の他の特徴や利点は、添付図面を考慮して、非限定的な例として与えられる以下の説明から明らかとなるであろう。
【図面の簡単な説明】
【００１１】
【図１】第１の例示的なワイピングシステムを示す図。
【図２】図１のワイピングシステムの詳細を示す、側方から見た拡大図。
【図３】図１のワイピングシステムにおけるワイパーゴム部材の断面図。
【図４】図３のワイパーゴム部材の概観図。
【図５】ワイパーゴム部材上での散布オリフィスの互い違い配置を示すワイパーブレードの模式図。
【図６】図１のワイピングシステムにおけるコネクタの斜視図。
【図７】第２の例示的なワイピングシステムを示す図。
【発明を実施するための形態】
【００１２】
添付図面において、同一の要素には同じ参照符号を付してある。
【００１３】
本明細書においては以降、ワイピングシステム１に対して相対的に固定された三面体（Ｌ，Ｖ，Ｔ）によって図１に示す、縦方向、垂直方向、および横方向が、非限定的な手法で採用されることとなる。縦方向（長手方向）Ｌは、ワイパーゴム部材の主方向に対応している。横方向Ｔと垂直方向Ｖとは、互いに直角であり、かつ縦方向Ｌに対して直角である。
【００１４】
図１および図２は、車両の窓ガラス、例えばリアウインドウなどのためのワイピングシステム１を提示している。
【００１５】
ワイピングシステム１は、ワイパーブレード２とコネクタ３とを備えている。フロントガラス用ワイパーブレード２は、ワイパーゴム部材４と可撓性構造５とを備えている。ワイパーゴム部材４は、縦方向Ｌに延びている。コネクタ３は、ワイパーゴム部材４の中央の所でワイパーゴム部材４に連結されている（図５）。ワイパーゴム部材４およびコネクタ３は、縦方向の対称面Ｐを有している。
【００１６】
図３および図４でより明確に見ることができるように、ワイパーゴム部材４は、窓ガラスの表面を擦るように構成されたリップ４１と、このリップ４１と可撓性構造５との間の接続部を形成するヒール４２（ないしはダンパー）とを備えている。それらの各自の機能のために、リップ４１が特に硬質で耐摩耗性であるのに対して、ヒール４２は、払拭方向が逆転するときにワイパーゴム部材４の最適な反転に必要とされる可撓性を示す。その可撓性はとりわけ、ヒール４２の特定のカット（切込み方）から結果として得られるものである。
【００１７】
かくしてワイパーゴム部材４は、リップ４１とヒール４２の両者を単一部品アッセンブリに結合した、例えばエラストマー製のプロファイルによって形成されている。静止時に、ワイパーゴム部材４は縦方向の対称面Ｐを呈している。
【００１８】
可撓性構造５は、２つの弾性変形可能な舌片を備えている。それらの舌片は、ワイパーゴム部材４の互いに反対の側面にそれぞれ縦方向に組み込まれている。各舌片（一般的にスパインと呼ばれる）は、払拭の質を最適化するために、ワイパーゴム部材４の全長に渡って押圧力を均等に分散させる役割を担っている。それらの舌片は、例えば金属製である。例示的な実施形態によれば、ワイパーゴム部材４には、それぞれのスパインを受け入れる、縦・横方向に開いた２つのスリットが設けられている。
【００１９】
ワイパーブレード２はまた、例えばワイパーゴム部材４の縦方向の両端部にネジ止めされる、エンドフィッティング（取付部品：図示せず）を備えてもいる。それらのエンドフィッティングは、ワイパーゴム部材４と可撓性構造５のスパインとを挟み込むことによって、ワイパーゴム部材４をスパインと一緒に機械的に連結する。
【００２０】
ワイパーゴム部材４には更に、洗浄流体７が内部を流れるように構成された少なくとも１つの流路６が設けられている。流路６は、ワイパーゴム部材４のヒール４２内に形成されている。その流路６は、ワイパーゴム部材４の縦方向（長手方向）軸線Ｌに沿って延びると共に、少なくとも１つの散布オリフィス８を通じてワイパーゴム部材４から横方向に表へ出ている。
【００２１】
流路６の横断面は、例えば略矩形状である。
【００２２】
流路６は、エンドフィッティングを介してワイパーゴム部材４の一端部の所で洗浄流体７を供給されるように構成されている。
【００２３】
例示的な実施形態によれば、流路６は、複数の散布オリフィス８を通じてワイパーゴム部材４の外方に通じている。それらの散布オリフィス８は例えば、縦方向軸線Ｌに沿って分散配置され、かくして散布ブームを形成している。散布オリフィス８同士の間の間隔は、例えば一定である。
【００２４】
ワイパーブレード２の縦方向軸線Ｌの両側にそれぞれ洗浄流体７を散布するように、軸線Ｌの左右どちらの側にも、少なくとも１つの散布オリフィス８を形成しておくこともできる。それは例えば、払拭の上昇段階および下降段階の間、ワイパーゴム部材４の前方にだけ洗浄流体７が散布されるようにするためである。
【００２５】
各散布オリフィス８は、例えばワイパーゴム部材４上に互い違い式に配置される（図５）。
【００２６】
コネクタ３は、一方ではワイパーゴム部材４に対して、他方では枢動方向に駆動されるように車両のワイパーアーム（図示せず）に対して連結される。
【００２７】
具体的には、コネクタ３はワイパーブレード２に対して固定される。そのために、コネクタ３の基部が例えば、少なくとも１つの（例えば、コネクタ３の基部を画定するそれぞれの腕１２に形成されて互いに向かい合った２つの）切込み９を備えている。各腕１２は、垂直方向Ｖに延びている。それらの切込み９はかくして、内部に流路６の形成されたヒール４２の部分に対応する形状を有したフックを形成している。それらのフックはかくして、ワイパーブレード２を、より特定的にはワイパーブレード２における可撓性構造５の各スパインを把持することができる（図１および図５）。組立状態においては、かくしてコネクタ３がワイパーブレード２の上部を覆う。
【００２８】
コネクタ３はまた、例えばアダプタを介して、例えば枢動連結によって、ワイパーアームに対して機械的に連結されるように構成されてもいる。そのために、コネクタ３は、基部よりも高い位置にある、１つの、ないしは一直線上にある２つのピン１３を備えている。ピン１３は、円筒状で、横方向に突出しており、作動アームと、或いはそのアダプタと枢動によって協働する。かくしてコネクタ３は、フラット型のワイパーブレード２に対してアームを機械的に連結することを可能とし、その枢動連結が、アームに対するワイパーブレード２の相対的な回動を行うことを可能とする。
【００２９】
コネクタ３は更に、ワイパーゴム部材４の少なくとも１つの散布オリフィス８に面して形成された、少なくとも１つの開口１５を有している。
【００３０】
上述したコネクタ３は、例えば成型によって得られる、単一部品として作成されるのが有利である。
【００３１】
製造中、コネクタ３がワイパーブレード２上に取り付けられる。
【００３２】
それから、ワイパーゴム部材４に沿って各散布オリフィス８が（例えばレーザーによって）穿孔される。
【００３３】
散布オリフィス８に面して形成された開口１５のおかげで、コネクタ３は散布オリフィス８のレベルではワイパーゴム部材４を覆わない。かくして、ワイパーゴム部材４に全ての散布オリフィス８を、ワイパーゴム部材４の一端から他端へと、同じ設定パラメータで、引き続き同じ動作によって穿孔することが可能となる。
【００３４】
開口１５は、例えばコネクタ３の側面における縦方向寸法の中央部に形成される。
【００３５】
開口１５は、例えばワイパーブレード２を連結するコネクタ３の基部における腕１２の側面に形成される。
【００３６】
ワイパーブレード２の縦方向軸線Ｌの左右どちらの側にも少なくとも１つの散布オリフィス８が形成されている場合には、コネクタ３の左右それぞれの側に、ワイパーゴム部材４の当該少なくとも１つの散布オリフィス８に面して、対応する開口１５を形成しておくことができる（図示せず）。
【００３７】
ワイパーブレード２の縦方向軸線Ｌの両側に互い違い式に形成された散布オリフィス８がワイパーゴム部材４に設けられている場合には、コネクタ３によって上部を覆われるワイパーゴム部材の区域内に形成されたワイパーゴム部材４の単一の散布オリフィス８に面して、単一の開口１５をコネクタ３に形成しておくことができる（図５）。
【００３８】
散布オリフィス８の互い違い配置によって、コネクタ３の側面における縦方向寸法の中央に開口１５が形成される場合において、単一の開口１５を形成することが可能となるのである。
【００３９】
図１、図２、および図６に示す第１実施形態によれば、開口１５は、ワイパーゴム部材４に接する内側において略矩形の形状を有している。開口１５は例えば、６ミリメートル程度の長さＤＬと、３ミリメートル程度の幅ＤＩとを有している。
【００４０】
ワイパーゴム部材４のリップ４１の側の底部に位置した開口１５の壁の部分１５１（すなわち開口１５を囲むコネクタ３の壁面のうちのリップ４１側の壁面）を、ワイパーゴム部材４の横方向Ｔに対して（即ち、ワイパーゴム部材４に直角な方向に対して）傾斜させた傾斜面とすることができる。かくして、矩形状の開口１５は外向きに下方へと広がる。
【００４１】
傾斜した壁の部分（傾斜面）１５１は例えば、横方向Ｔと５０°から６０°の間（例えば、５５°程度）の角度αを成す。
【００４２】
略矩形の形状の開口の場合には、図６を参照すると、傾斜した壁の部分（傾斜面）１５１は、開口１５の底部内側を形成して縦方向へ延びている。
【００４３】
横方向Ｔに対して傾斜した軸線Ａの穴によって散布オリフィス８が形成されるようにしておくこともできる。
【００４４】
散布オリフィス８の穴の軸線Ａは例えば、横方向Ｔと５０°から６０°の間（例えば、５５°程度）の角度αを成す。
【００４５】
散布オリフィス８の穴の軸線Ａは例えば、傾斜した壁の部分１５１の傾きに対して略平行である。かくして、洗浄流体７とコネクタ３の壁との間の接触が回避される。
【００４６】
図６は、第２の例示的なワイピングシステム１’を示している。
【００４７】
そのワイピングシステム１’は、開口１６の楕円形状によって、先に説明したものと異なっている。
【００４８】
ここでは開口１６は、ワイパーゴム部材４に接する内側において略円形の形状を有している。
【００４９】
ワイパーゴム部材４のリップ４１の側の底部に位置した開口１６の壁の部分１６１（すなわち開口１６を囲むコネクタ３’の壁面のうちのリップ４１側の壁面）を、ワイパーゴム部材の横方向Ｔに対して（即ち、ワイパーゴム部材４の縦方向軸線Ｌに直角な方向に対して）傾斜させた傾斜面とすることができる。かくして、円形状の開口１６は外向きに下方へと広がり、外側では略長円形を成す。
【００５０】
傾斜した壁の部分（傾斜面）１６１は例えば、横方向Ｔと５０°から６０°の間（例えば、５５°程度）の角度αを成す。
【００５１】
先と同様に、横方向Ｔに対して傾斜した軸線Ａを有する穴によって散布オリフィス８が形成されるようにしておくこともできる。散布オリフィス８の穴の軸線Ａは例えば、横方向Ｔと５０°から６０°の間（例えば、５５°程度）の角度αを成す。散布オリフィス８の穴の軸線Ａは例えば、傾斜した壁の部分１６１の傾きに対して略平行である。
【図１】
0006758813.tif 000002
【図２】
0006758813.tif 000003
【図３】
0006758813.tif 000004
【図４】
0006758813.tif 000005
【図５】
0006758813.tif 000006
【図６】
0006758813.tif 000007
【図７】
0006758813.tif 000008